(57)【要約】【課題】端子台を含むリアクトルの高さをより低減できるリアクトルを提供する。【解決手段】巻線を巻回してなる巻回部を有するコイルと、前記巻回部の内側に配置される内側コア部及び前記巻回部の外側に配置される外側コア部を有する磁性コアと、を備えるリアクトルであって、前記外側コア部の少なくとも外側面を覆う外側樹脂部と、前記外側樹脂部の外側面に突出して一体成形され、前記巻線の端部に接続される端子金具と外部配線の端子とを締結する締結部を有する端子台と、前記端子台に一体成形され、前記リアクトルを設置対象に固定する固定部と、を備え、前記端子台と前記固定部とが一体化され、前記端子台の厚さが前記固定部よりも薄いリアクトル。【選択図】図１
2018200965.tif 000002
【特許請求の範囲】
【請求項１】
巻線を巻回してなる巻回部を有するコイルと、前記巻回部の内側に配置される内側コア部及び前記巻回部の外側に配置される外側コア部を有する磁性コアと、を備えるリアクトルであって、
前記外側コア部の少なくとも外側面を覆う外側樹脂部と、
前記外側樹脂部の外側面に突出して一体成形され、前記巻線の端部に接続される端子金具と外部配線の端子とを締結する締結部を有する端子台と、
前記端子台に一体成形され、前記リアクトルを設置対象に固定する固定部と、を備え、
前記端子台と前記固定部とが一体化され、前記端子台の厚さが前記固定部よりも薄いリアクトル。
【請求項２】
前記締結部はボルトが締結されるナットであり、
前記端子台に前記ナットが埋設されている請求項１に記載のリアクトル。
【請求項３】
前記ナットは前記ボルトを挿入する側とは反対側が閉塞されている請求項２に記載のリアクトル。
【請求項４】
前記端子台と前記固定部との間に前記外側樹脂部で形成された壁部を有する請求項１から請求項３のいずれか１項に記載のリアクトル。
【請求項５】
前記リアクトルの物理量を測定するセンサを備え、
前記端子台に前記センサの配線を係止する配線係止部が形成されている請求項１から請求項４のいずれか１項に記載のリアクトル。
【発明の詳細な説明】
【技術分野】
【０００１】
本発明は、リアクトルに関する。
【背景技術】
【０００２】
電圧の昇圧動作や降圧動作を行う回路の部品の一つに、リアクトルがある。例えば特許文献１〜３には、巻線を巻回してなる巻回部を有するコイルと、巻回部の内側に配置される内側コア部及び巻回部の外側に配置される外側コア部を有する環状の磁性コアと、を備えるリアクトルが開示されている。通常、コイルには、電源などの外部機器から外部配線（リード線やバスバーなど）を介して電力が供給される。また、リアクトルは、例えば、コンバータケースなどの設置対象に設置して使用される。
【０００３】
特許文献１には、コイルと磁性コアとの組合体の外周を外側樹脂部で覆い、外側コア部の上方に、巻線の端部に接続される端子金具を外側樹脂部で一体に成形して端子台を構成することが記載されている（特許文献１の段落［００２６］、［００２８］及び図２などを参照）。上記端子台には、端子金具と外部配線の端子とをボルトなどで締結するためのナットが設けられている。一方、特許文献２〜３には、外側コア部を覆う外側樹脂部に、ボルトで設置対象に固定するための固定部を形成することが記載されている（特許文献２の段落［００４７］及び図１など、特許文献３の段落［００７０］及び図１などを参照）。
【先行技術文献】
【特許文献】
【０００４】
【特許文献１】特開２０１１−４９４９５号公報
【特許文献２】特開２０１７−２８１３５号公報
【特許文献３】特開２０１７−２８１４２号公報
【発明の概要】
【発明が解決しようとする課題】
【０００５】
近年、コンバータの小型化が進み、ケースの薄型化によってリアクトルの高さが制限されたり、コンバータに使用するリアクトルなどの部品の配置密度が高くなる傾向がある。特許文献１に記載のリアクトルでは、外側コア部の上方に外側樹脂部で端子台を一体成形しているが、設置スペースの関係上、外側コア部の上方に端子台を設けることが難しい場合がある。
【０００６】
そこで、本開示は、端子台を含むリアクトルの高さをより低減できるリアクトル提供する。
【課題を解決するための手段】
【０００７】
本開示に係るリアクトルは、
巻線を巻回してなる巻回部を有するコイルと、前記巻回部の内側に配置される内側コア部及び前記巻回部の外側に配置される外側コア部を有する磁性コアと、を備えるリアクトルであって、
前記外側コア部の少なくとも外側面を覆う外側樹脂部と、
前記外側樹脂部の外側面に突出して一体成形され、前記巻線の端部に接続される端子金具と外部配線の端子とを締結する締結部を有する端子台と、
前記端子台に一体成形され、前記リアクトルを設置対象に固定する固定部と、を備え、
前記端子台と前記固定部とが一体化され、前記端子台の厚さが前記固定部よりも薄い。
【発明の効果】
【０００８】
上記リアクトルは、端子台を含むリアクトルの高さをより低減できる。
【図面の簡単な説明】
【０００９】
【図１】実施形態１に係るリアクトルの概略斜視図である。
【図２】実施形態１に係るリアクトルの概略上面図である。
【図３】実施形態１に係るリアクトルに備える組合体の概略分解斜視図である。
【図４】図１に示す（ＩＶ）−（ＩＶ）線で切断した概略横断面図である。
【図５】図１に示す（Ｖ）−（Ｖ）線で切断した概略平断面図である。
【図６】実施形態１に係るリアクトルの概略側面図である。
【図７】実施形態１に係るリアクトルにおける端子金具と外部配線の端子との締結方法を説明する図である。
【図８】実施形態１に係るリアクトルに備える端面介在部材を正面側から見た概略正面図である。
【図９】変形例１に係るリアクトルの一例を示す概略側面図である。
【図１０】変形例１に係るリアクトルの別の一例を示す概略側面図である。
【図１１】変形例２に係るリアクトルにおける配線係止部を示す要部拡大斜視図である。
【発明を実施するための形態】
【００１０】
［本発明の実施形態の説明］
本発明者らは、外側コア部を覆う外側樹脂部の外側面（内側コア部が配置される側とは反対側）から突出するように端子台を一体成形することで、外側コア部の上方に端子台を形成する場合に比較して、リアクトルの高さを低減することを考えた。しかし、この場合は、次のような問題が生じることが分かった。
【００１１】
通常、コイルと外部配線との接続は、巻線の端部に接続される端子金具と外部配線の端子とをボルトなどで端子台のナットに締結することにより行われるが、その際、ボルトの締め付け力が端子台に作用する。外側樹脂部の外側面に端子台を突出して一体成形した場合、ボルトの締め付け力によって端子台が折れたり、割れたりすることがあるため、ボルトの締め付け力に耐えられるように端子台を厚くする必要がある。しかしながら、端子台を厚くすると、端子台の近傍に配置される部品の配置スペースを確保できなくなる虞がある。したがって、端子台の強度を確保しつつ、端子台の厚さを薄くすることが望まれる。
【００１２】
本発明者らは、外側樹脂部の外側面に端子台と固定部とを突出して一体成形し、端子台と固定部とが連続するように一体化することで、端子台を薄くできつつ、端子台の強度を確保できることを見出した。最初に、本発明の実施態様を列記して説明する。
【００１３】
［本発明の実施形態の説明］
（１）本発明の一態様に係るリアクトルは、
巻線を巻回してなる巻回部を有するコイルと、前記巻回部の内側に配置される内側コア部及び前記巻回部の外側に配置される外側コア部を有する磁性コアと、を備えるリアクトルであって、
前記外側コア部の少なくとも外側面を覆う外側樹脂部と、
前記外側樹脂部の外側面に突出して一体成形され、前記巻線の端部に接続される端子金具と外部配線の端子とを締結する締結部を有する端子台と、
前記端子台に一体成形され、前記リアクトルを設置対象に固定する固定部と、を備え、
前記端子台と前記固定部とが一体化され、前記端子台の厚さが前記固定部よりも薄い。
【００１４】
上記リアクトルは、外側コア部を覆う外側樹脂部の外側面に端子台が突出して一体成形されていることから、外側コア部の上方に端子台が一体成形された従来のリアクトルに比較して、端子台を含むリアクトルの高さをより低減できる。上記リアクトルによれば、リアクトルを設置対象に固定する固定部が端子台に一体成形され、端子台と固定部とが一体化されていることで、端子台の強度が向上し、端子台の強度を確保できる。よって、端子台の厚さを薄くできながら、端子金具と外部配線の端子とを締結する際に端子台が破損することを抑制できる。また、端子台の厚さが固定部よりも薄いことで、端子台の近傍に配置される部品の配置スペースを確保し易い。
【００１５】
上記リアクトルでは、外側樹脂部に端子台が一体成形されていることから、別途用意した端子台を取り付ける必要がなく、部品点数の削減、組立作業の簡素化を図ることができ、製造コストを低減できる。
【００１６】
（２）上記リアクトルの一形態として、前記締結部はボルトが締結されるナットであり、前記端子台に前記ナットが埋設されていることが挙げられる。
【００１７】
端子台にナットが埋設されていることで、締結部を容易に構成でき、ナットが端子台から脱落することもない。端子金具と外部配線の端子とをボルト締めで締結することができるので、コイルと外部配線との接続を容易に行うことができる。
【００１８】
（３）上記（２）に記載のリアクトルの一形態として、前記ナットは前記ボルトを挿入する側とは反対側の底が閉塞されていることが挙げられる。
【００１９】
ナットの底が閉塞されていることで、ボルト締めする際にボルトとナットとの摩擦によって生じる摩耗粉がナット内から脱落することがなく、摩耗粉の散逸を防止できる。
【００２０】
（４）上記リアクトルの一形態として、前記端子台と前記固定部との間に前記外側樹脂部で形成された壁部を有することが挙げられる。
【００２１】
固定部は、金属製のボルトなどで設置対象に固定することが挙げられる。この場合、設置対象は接地電位であり、端子台に設けられる端子金具とボルトとの間には電位差が生じる。端子台と固定部との間に外側樹脂部で形成された壁部を有することで、壁部により端子金具とボルト間の沿面距離を十分に確保して、両者間の電気的絶縁を高めることができる。
【００２２】
（５）上記リアクトルの一形態として、前記リアクトルの物理量を測定するセンサを備え、前記端子台に前記センサの配線を係止する配線係止部が形成されていることが挙げられる。
【００２３】
リアクトルがセンサを備える場合、端子台に配線係止部が形成されていることで、センサの配線を配線係止部に固定できる。よって、例えば、リアクトルを設置対象に設置する際にセンサの配線を引っ掛けたり、配線が邪魔になることが少ない。
【００２４】
［本発明の実施形態の詳細］
本発明の実施形態に係るリアクトルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２５】
［実施形態１］
＜リアクトルの構成＞
図１〜図８を参照して、実施形態１に係るリアクトル１を説明する。実施形態１のリアクトル１は、図１〜図３に示すように、巻回部２ｃを有するコイル２と、巻回部２ｃの内外に配置される磁性コア３との組合体１０を備える。コイル２は、２つの巻回部２ｃを有し、両巻回部２ｃが互いに横並びに配置されている。磁性コア３は、巻回部２ｃの内側に配置される２つの内側コア部３１と、巻回部２ｃの外側に配置されて両内側コア部３１の各端部同士を接続する２つの外側コア部３２とを有する。また、リアクトル１は、図１、図２に示すように、外側コア部３２の少なくとも外側面３２ｏを覆う外側樹脂部４２（モールド樹脂部４）を備える。リアクトル１の特徴の１つは、外側樹脂部４２の外側面に端子台６０と固定部７０とが突出して一体成形されている点にある（図６も参照）。
【００２６】
リアクトル１（組合体１０）は、図３に示すように、コイル２と磁性コア３との間に介在される絶縁介在部材５を備える。
【００２７】
リアクトル１は、例えば、コンバータケースなどの設置対象（図示せず）に設置される。ここでは、リアクトル１（コイル２及び磁性コア３）において、図１や図６における紙面下側が、設置対象に面する設置側であり、設置側を「下」、その反対側を「上」とし、上下方向を高さ方向とする。また、巻回部２ｃ（内側コア部３１）の並び方向（図２の紙面左右方向）を横方向とし、巻回部２ｃ（内側コア部３１）の軸方向に沿った方向（図２の紙面上下方向）を長さ方向とする。図４は、巻回部２ｃの長さ方向に直交する横方向に切断した横断面図であり、図５は、巻回部２ｃを上下に分断する平面で切断した平断面図である。以下、リアクトル１の構成について詳しく説明する。
【００２８】
（コイル）
コイル２は、図１〜図３に示すように、２本の巻線２ｗをそれぞれ螺旋状に巻回してなる２つの巻回部２ｃを有し、両巻回部２ｃを形成するそれぞれの巻線２ｗの一方の端部同士が接合部２ｊを介して接続されている。両巻回部２ｃは、互いの軸方向が平行するように横並び（並列）に配置されている。接合部２ｊは、各巻回部２ｃから引き出された巻線２ｗの一方の端部同士を溶接や半田付け、ロウ付けなどの接合方法によって接合することで形成されている。巻線２ｗの他方の端部はそれぞれ、各巻回部２ｃから適宜な方向（この例では上方）に引き出されている。各巻線２ｗの他端部（即ち、コイル２の両端）には、後述する端子金具２０（図１参照。図２では図示省略）がそれぞれ取り付けられ、電源などの外部機器（図示せず）に外部配線９０（図７参照）を介して電気的に接続される。コイル２は、公知のものを利用でき、例えば、両巻回部２ｃが１本の連続する巻線で形成されたものでもよい。
【００２９】
〈巻回部〉
両巻回部２ｃは、同じ仕様の巻線２ｗからなり、形状・大きさ・巻回方向・ターン数が同じであり、巻回部２ｃを形成する隣り合うターン同士が密着している。巻線２ｗは、例えば、導体（銅など）と、導体の外周に絶縁被覆（ポリアミドイミドなど）とを有する被覆線（いわゆるエナメル線）である。この例では、各巻回部２ｃが被覆平角線の巻線２ｗをエッジワイズ巻きした四角筒状（具体的には、矩形筒状）のエッジワイズコイルであり、軸方向から見た巻回部２ｃの端面形状は角部が丸められた矩形状である（図４も参照）。巻回部２ｃの形状は、特に限定されるものではなく、例えば、円筒状や楕円筒状、長円筒状（レーストラック形状）などであってもよい。巻線２ｗや巻回部２ｃの仕様は適宜変更できる。
【００３０】
この例では、コイル２（巻回部２ｃ）が後述するモールド樹脂部４で覆われておらず、リアクトル１を構成したとき、図１に示すように、コイル２の外周面が露出された形態になる。そのため、コイル２から外部に放熱し易く、コイル２の放熱性を高めることができる。
【００３１】
その他、コイル２は、電気絶縁性を有する樹脂でモールドされたモールドコイルであってもよい。この場合、コイル２を外部環境(粉塵や腐食など)から保護したり、コイル２の機械的強度や電気絶縁性を高めることができる。例えば、巻回部２ｃの内周面が樹脂で覆われていることで、巻回部２ｃと内側コア部３１との間の電気的絶縁を高めることができる。コイル２をモールドする樹脂には、例えば、エポキシ樹脂、不飽和ポリエステル樹脂、ウレタン樹脂、シリコーン樹脂などの熱硬化性樹脂や、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリイミド（ＰＩ）樹脂、ポリブチレンテレフタレート（ＰＢＴ）樹脂、アクリロニトリル・ブタジエン・スチレン（ＡＢＳ）樹脂などの熱可塑性樹脂が利用できる。
【００３２】
或いは、コイル２は、巻回部２ｃを形成する隣り合うターン間に融着層を備え、隣り合うターン同士が熱融着された熱融着コイルであってもよい。この場合、隣り合うターン同士をより密着させることができる。
【００３３】
磁性コア３は、図２、図３及び図５に示すように、巻回部２ｃの内側に配置される２つの内側コア部３１と、巻回部２ｃの外側に配置される２つの外側コア部３２とを有する。内側コア部３１は、横並びに配置された巻回部２ｃの内側に位置し、コイル２が配置される部分である。つまり、両内側コア部３１は、巻回部２ｃと同様に、横並び（並列）に配置される。内側コア部３１は、その軸方向の端部の一部が巻回部２ｃから突出していてもよい。外側コア部３２は、巻回部２ｃの外側に位置し、コイル２が実質的に配置されない（即ち、巻回部２ｃから突出（露出）する）部分である。外側コア部３２は、両内側コア部３１の各端部同士を接続するように設けられる。この例では、内側コア部３１を両端から挟むように外側コア部３２がそれぞれ配置され、両内側コア部３１の各端面が外側コア部３２の内側面３２ｉにそれぞれ対向して接続されることによって環状の磁性コア３が構成されている。磁性コア３には、コイル２に通電して励磁した際に磁束が流れ、閉磁路が形成される。
【００３４】
〈内側コア部〉
内側コア部３１の形状は、巻回部２ｃの内周面に対応した形状である。この例では、内側コア部３１が四角柱状（矩形柱状）に形成されており、軸方向から見た内側コア部３１の端面形状は角部が面取りされた矩形状である（図４も参照）。内側コア部３１の外周面は、図４に示すように、４つの平面（上面、下面及び２つの側面）と４つの角部とを有する。また、この例では、図２、図３及び図５に示すように、内側コア部３１が複数の内コア片３１ｍを有し、内コア片３１ｍが長さ方向に連結されて構成されている。
【００３５】
内側コア部３１（内コア片３１ｍ）は、軟磁性材料を含有する材料で形成されている。内コア片３１ｍは、例えば、鉄又は鉄合金（Ｆｅ−Ｓｉ合金、Ｆｅ−Ｓｉ−Ａｌ合金、Ｆｅ−Ｎｉ合金など）といった軟磁性粉末や更に絶縁被覆を有する被覆軟磁性粉末などを圧縮成形した圧粉成形体や、軟磁性粉末と樹脂とを含む複合材料の成形体などで形成されている。複合材料の樹脂には、熱硬化性樹脂、熱可塑性樹脂、常温硬化性樹脂、低温硬化性樹脂などが利用できる。熱硬化性樹脂としては、例えば、不飽和ポリエステル樹脂、エポキシ樹脂、ウレタン樹脂、シリコーン樹脂などが挙げられる。熱可塑性樹脂としては、例えば、ＰＰＳ樹脂、ＰＴＦＥ樹脂、ＬＣＰ、ＰＡ樹脂、ＰＩ樹脂、ＰＢＴ樹脂、ＡＢＳ樹脂などが挙げられる。その他、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなども利用できる。この例では、内コア片３１ｍが圧粉成形体で形成されている。
【００３６】
〈外側コア部〉
外側コア部３２は、図２、図３に示すように、上面が台形状の柱状体であり、１つのコア片で構成されている。外側コア部３２は、内コア片３１ｍと同様に、軟磁性材料を含有する材料で形成されており、上述した圧粉成形体や複合材料の成形体などが利用できる。この例では、外側コア部３２が圧粉成形体で形成されている。
【００３７】
（絶縁介在部材）
絶縁介在部材５は、コイル２（巻回部２ｃ）と磁性コア３（内側コア部３１及び外側コア部３２）との間に介在され、コイル２と磁性コア３との間の電気的絶縁を確保する部材であり、内側介在部材５１と端面介在部材５２とを有する。絶縁介在部材５（内側介在部材５１及び端面介在部材５２）は、電気絶縁性を有する樹脂で形成され、例えば、エポキシ樹脂、不飽和ポリエステル樹脂、ウレタン樹脂、シリコーン樹脂、ＰＰＳ樹脂、ＰＴＦＥ樹脂、ＬＣＰ、ＰＡ樹脂、ＰＩ樹脂、ＰＢＴ樹脂、ＡＢＳ樹脂などの樹脂で形成することが挙げられる。
【００３８】
〈内側介在部材〉
内側介在部材５１は、図３〜図５に示すように、巻回部２ｃの内周面と内側コア部３１の外周面との間に介在され、巻回部２ｃと内側コア部３１との間の電気的絶縁を確保する。この例では、図３、図５に示すように、内側介在部材５１は、内コア片３１ｍ間に介在される矩形状の板部５１０と、板部５１０の角部に形成され、隣接する両内コア片３１ｍの角部に沿って長さ方向に延在する突片５１１とを有する。更に、この例では、板部５１０の外縁部に、隣接する両内コア片３１ｍの端面の周縁部を囲む枠部５１２が形成されている。板部５１０は、内コア片３１ｍ間の間隔を保持してギャップとして機能する。突片５１１は、内コア片３１ｍの角部を保持すると共に、巻回部２ｃの内周面と内コア片３１ｍの外周面との間に介在して、巻回部２ｃ内に内コア片３１ｍ（内側コア部３１）を位置決めする。図４に示すように、突片５１１により巻回部２ｃの内周面と内側コア部３１の外周面との間に隙間が形成され、内側コア部３１の４面（上面、下面及び両側面）にそれぞれ隙間が確保される。各隙間は、後述する内側樹脂部４１（図４、図５参照）を形成する樹脂の流路になり、各隙間に樹脂が充填されることで、内側樹脂部４１が形成される。また、図３に示すように、隣り合う内側介在部材５１の突片５１１同士が突き合わされて連結される。
【００３９】
〈端面介在部材〉
端面介在部材５２は、図３、図５に示すように、巻回部２ｃの端面と外側コア部３２の内側面３２ｉとの間に介在され、巻回部２ｃと外側コア部３２との間の電気的絶縁を確保する。端面介在部材５２は、巻回部２ｃの両端にそれぞれ配置され、図３に示すように、内側コア部３１が挿入される２つの貫通孔５２０が形成された矩形状の枠状体である。この例では、図８に示すように、端面介在部材５２を外側コア部３２側（正面側）から見たとき、内側コア部３１（内コア片３１ｍ）の端面の角部に当接するように、貫通孔５２０の内方に突出する突起５２３が形成されている。突起５２３が内側コア部３１の端面の角部と外側コア部３２の内側面３２ｉとの間に介在して、図５に示すように、内側コア部３１の端面と外側コア部３２の内側面３２ｉとの間に隙間が形成される。また、図８に示すように、各貫通孔５２０が十字状に形成されており、組合体１０の状態において、貫通孔５２０には、巻回部２ｃの内周面と内側コア部３１の外周面との各隙間に連通する樹脂充填孔５２４が形成される。この樹脂充填孔５２４を介して、巻回部２ｃと内側コア部３１との各隙間に樹脂を充填することが可能である。
【００４０】
端面介在部材５２の外側コア部３２側（正面側）には、図３、図８に示すように、外側コア部３２の内側面３２ｉ側が嵌合される凹状の嵌合部５２５が形成されており、嵌合部５２５により端面介在部材５２に対して外側コア部３２が位置決めされる。端面介在部材５２の内側コア部３１側（裏面側）には、図３に示すように、内側コア部３１の端部に位置する内コア片３１ｍの角部に沿って長さ方向に延在する突片５２１が形成されている。突片５２１は、内側コア部３１の端部に位置する内コア片３１ｍの角部を保持すると共に、巻回部２ｃの内周面と内コア片３１ｍの外周面との間に介在して、巻回部２ｃ内に内コア片３１ｍ（内側コア部３１）を位置決めする。突片５２１により端面介在部材５２に対して内側コア部３１が位置決めされ、結果的に、端面介在部材５２を介して内側コア部３１と外側コア部３２とを位置決めできる。また、端面介在部材５２の突片５２１は、図２に示すように、内側介在部材５１の突片５１１と突き合わされて連結される。これにより、内側コア部３１の長さ方向に亘って、図４に示すように、巻回部２ｃの内周面と内側コア部３１の外周面との隙間が突片５１１及び突片５２１によって周方向に分断されている。
【００４１】
（外側樹脂部）
外側樹脂部４２は、図１、図２に示すように、外側コア部３２の少なくとも外側面３２ｏ（内側コア部３１が配置される内側面３２ｉとは反対側の面）を覆うように形成されている。この例では、組合体１０を組み立てたときに外部に露出する外側コア部３２の外周面全体を覆うように外側樹脂部４２が形成されており、外側面３２ｏだけでなく、外側コア部３２の上面や下面も外側樹脂部４２で覆われている。外側樹脂部４２は、外側コア部３２に対して樹脂を射出成形により被覆することによって形成されている。
【００４２】
外側樹脂部４２は、電気絶縁性を有する樹脂で形成されている。外側樹脂部４２を形成する樹脂には、熱硬化性樹脂、熱可塑性樹脂、常温硬化性樹脂、低温硬化性樹脂などが利用できる。例えば、エポキシ樹脂、不飽和ポリエステル樹脂、ウレタン樹脂、シリコーン樹脂などの熱硬化性樹脂や、ＰＰＳ樹脂、ＰＴＦＥ樹脂、ＬＣＰ、ＰＡ樹脂、ＰＩ樹脂、ＰＢＴ樹脂、ＡＢＳ樹脂などの熱可塑性樹脂が利用できる。
【００４３】
この例では、図４、図５に示すように、巻回部２ｃの内周面と内側コア部３１の外周面との間に充填される内側樹脂部４１を有する。この内側樹脂部４１は、巻回部２ｃと内側コア部３１との隙間に樹脂を射出成形により充填することによって形成されており、巻回部２ｃの内周面及び内側コア部３１の外周面に密着している。図５に示すように、内側樹脂部４１と外側樹脂部４２とは一体に形成されており、内側樹脂部４１と外側樹脂部４２とでモールド樹脂部４が構成されている。このモールド樹脂部４により内側コア部３１及び外側コア部３２が一体化されると共に、組合体１０を構成するコイル２、磁性コア３及び絶縁介在部材５が一体化される。また、図５に示すように、内側コア部３１の端面と外側コア部３２の内側面３２ｉとの隙間にも樹脂が充填されている。
【００４４】
（端子台）
端子台６０は、図１、図２に示すように、外側樹脂部４２の外側面に突出して一体成形されており、端子台６０には、端子金具２０と外部配線９０の端子９１（図７参照）とを締結する締結部（ナット６１）を有する。この例では、各巻線２ｗの端部にそれぞれ接続される端子金具２０に対応するように、２つの締結部が端子台６０に設けられている（図６、図７も参照）。端子台６０は、巻線２ｗの端部が位置する一方の外側コア部３２を覆う外側樹脂部４２に設けられている。
【００４５】
この例では、端子台６０にナット６１が埋設されていることで、締結部が構成されている。ナット６１は、内周にめねじが形成されたねじ穴を有しており、ボルト６５（図７参照）が締結される。ナット６１には、外形が多角形の角ナットや外形が円形の丸ナットを用いることができ、この例では、６角ナットを用いた場合を示している（図２、図５参照）。また、ナット６１は所謂袋ナットであり、図６に示すように、ボルト６５を挿入する側とは反対側の底が閉塞されている。図６では、分かり易くするために、ナット６１の断面にハッチングを施している。図６では、ナット６１が袋ナットである場合を示しているが、ナット６１は、ねじ穴が貫通している貫通ナットでもよい。
【００４６】
（端子金具）
端子金具２０は、棒状の導体であり、図１、図６に示すように、巻線２ｗの端部に接続され、巻線２ｗの端部と締結部（ナット６１）との間に配線されている。端子金具２０は、端子台６０に埋設されたナット６１上に配置され、外部配線９０の端子９１（図７参照）と締結される端子部２１と、巻線２ｗの端部に接続される接続部２２とを有する。端子部２１は、円環板状に形成され、ボルト６５が挿通される貫通孔を有する。接続部２２は、巻線２ｗの端部を挟むようにＵ字状に形成され、巻線２ｗの端部に溶接や半田付け、ロウ付けなどの接合方法によって接続されている。図７に示す外部配線９０は、端末に端子９１が設けられており、端子９１にはボルト６５が挿通される貫通孔が形成されている。
【００４７】
端子金具２０と外部配線９０の端子９１との締結は、図７に示すように、ナット６１上に配置された端子金具２０の端子部２１に外部配線９０の端子９１を重ね合わせ、その上からボルト６５をナット６１に挿入してボルト締めすることで行う。ナット６１及びボルト６５には、市販の金属製のものを用いることができる。
【００４８】
この例では、図１、図６に示すように、端子金具２０間を隔てるように、端子台６０上に外側樹脂部４２で形成された仕切り部６２を有する。この仕切り部６２により端子金具２０間の沿面距離を長くして、端子金具２０間の電気的強度を高めることができる。仕切り部６２の高さは、コイル２への印加電圧や使用環境などに応じて必要な沿面距離を確保できるように適宜設定すればよい。
【００４９】
（固定部）
固定部７０は、リアクトル１を設置対象（図示せず）に固定するためのものであり、図１、図２に示すように、端子台６０に一体成形されている。固定部７０には、金属製のカラー７１（筒体）が埋設され、固定具に用いるボルトが挿通される貫通孔が形成されている。設置対象へのリアクトル１の固定は、固定部７０のカラー７１にボルト（図示せず）を挿入し、設置対象に設けられたボルト孔に締結することで行う。カラー７１及び固定具に用いるボルトには、市販の金属製のものを用いることができる。
【００５０】
この例では、図２に示すように、固定部７０が、両方の外側コア部３２をそれぞれ覆う外側樹脂部４２に設けられており、各々の外側樹脂部４２に対して２つずつ設けられている。固定部７０は、外側樹脂部４２の左右両側にそれぞれ配置され、固定部７０の間に架け渡されるように端子台６０が設けられている。固定部７０の数や位置は適宜変更することが可能であり、それぞれの外側樹脂部４２に１つであってもよい。
【００５１】
図１、図６に示すように、端子台６０と固定部７０とは、外側樹脂部４２の外側面から一体に突出して、１つの突出部を構成しており、端子台６０の厚さが固定部７０よりも薄くなっている。この例では、端子台６０及び固定部７０は、外側樹脂部４２の高さ方向の中間位置に設けられている。端子台６０及び固定部７０を設ける位置は、適宜変更することが可能であり、外側樹脂部４２の高さ方向の下側や上側であってもよい。また、端子台６０の下側にリブ（図示せず）が形成されていてもよく、この場合、リブによって固定部７０の剛性を高めることが可能である。
【００５２】
（センサ）
また、リアクトル１は、図１に示すように、物理量を測定するセンサ８を備えてもよい。図１に示すセンサ８は、センサホルダ８０に保持され、センサ８の感知情報（電気信号）を制御装置（図示せず）などに伝達する配線８１を有する。センサ８は、測定する物理量に応じて適宜選択できる。この例では、センサ８がコイル２の温度を測定するサーミスタであり、センサホルダ８０を巻回部２ｃ間に挿入して、巻回部２ｃ間の上側にセンサ８が配置されるように取り付けられる。
【００５３】
＜リアクトルの製造方法＞
リアクトル１の製造方法の一例を説明する。リアクトルの製造方法は、大別すると、組合体組立工程と、樹脂成形工程とを備える。
【００５４】
（組合体組立工程）
組合体組立工程では、コイル２と磁性コア３と絶縁介在部材５との組合体１０を組み立てる（図３参照）。
この例では、内コア片３１ｍ間に内側介在部材５１を配置して内側コア部３１を作製して、コイル２の両巻回部２ｃに内側コア部３１をそれぞれ挿入する。その後、巻回部２ｃの両端に端面介在部材５２をそれぞれ配置して、内側コア部３１を両端から挟むように外側コア部３２をそれぞれ配置する。これにより、内側コア部３１と外側コア部３２とで環状の磁性コア３（図２参照）を構成する。以上のようにして、コイル２と磁性コア３と絶縁介在部材５とを備える組合体１０を組み立てる。
【００５５】
（樹脂成形工程）
樹脂成形工程では、外側コア部３２に樹脂を射出成形して外側樹脂部４２を形成すると共に、外側樹脂部４２に端子台６０及び固定部７０を一体成形する（図１、図５参照）。
この例では、組合体１０を図示しない成形型にセットすると共に、成形型内の端子台６０及び固定部７０を形成する空間にナット６１やカラー７１などの部品を配置する。そして、組合体１０の外側コア部３２側から樹脂を射出して、外側コア部３２を樹脂で覆うと共に、成形型内の端子台６０及び固定部７０を形成する空間に樹脂を充填する。このとき、端面介在部材５２の樹脂充填孔５２４（図８参照）を介して、巻回部２ｃと内側コア部３１との隙間に樹脂が充填され、内側コア部３１の端面と外側コア部３２の内側面３２ｉとの隙間にも樹脂が充填される。その後、樹脂を固化させることで、外側樹脂部４２を形成すると同時に、ナット６１が埋設された端子台６０及びカラー７１が埋設された固定部７０を外側樹脂部４２に一体成形する。また、この例では、外側樹脂部４２と同時に内側樹脂部４１を形成して、外側樹脂部４２と内側樹脂部４１とを一体成形する。これにより、外側樹脂部４２と内側樹脂部４１とでモールド樹脂部４を構成し、内側コア部３１及び外側コア部３２を一体化すると共に、コイル２、磁性コア３及び絶縁介在部材５を一体化する。
【００５６】
樹脂の充填は、一方の外側コア部３２側から他方の外側コア部３２側に向かって巻回部２ｃと内側コア部３１との隙間に樹脂を充填してもよいし、両方の外側コア部３２側から隙間に樹脂を充填してもよい。
【００５７】
{作用効果}
実施形態１のリアクトル１は、次の作用効果を奏する。
外側コア部３２を覆う外側樹脂部４２の外側面に端子台６０が突出して一体成形されていることから、端子台６０を含むリアクトル１の高さをより低減できる。また、外側樹脂部４２に端子台６０が一体成形されていることから、別途用意した端子台を取り付ける必要がなく、部品点数の削減、組立作業の簡素化を図ることができる。
【００５８】
外側樹脂部４２に端子台６０と固定部７０とが一体成形され、互いに連結されて一体になっていることで、端子台６０の強度が向上する。よって、端子台６０の厚さを薄くできつつ、端子台６０の強度を確保できるので、端子金具２０と外部配線９０の端子９１とをボルト締めする際に端子台６０が破損することを抑制できる。端子台６０の厚さが固定部７０よりも薄いことで、端子台６０の近傍に配置される部品の配置スペースを確保し易い。
【００５９】
端子台６０にナット６１が埋設されていることで、締結部を容易に構成できる。端子金具２０と外部配線９０の端子９１とをボルト締めで締結することができるので、コイル２と外部配線９０との接続を容易に行うことができる。また、ナット６１の底が閉塞されていることで、ボルト締めする際にボルト６５とナット６１との摩擦によって生じる摩耗粉（金属粉）がナット６１内から脱落することがない。そのため、摩耗粉に起因するショートなどのトラブルを回避でき、信頼性を高めることができる。
【００６０】
［変形例１］
図９、図１０に示すように、端子台６０と固定部７０との間に壁部６３が外側樹脂部４２で形成されていてもよい。図９では、端子台６０と固定部７０との上面が略同じ高さになっており、その上面から突出するように壁部６３が形成されている形態である。一方、図１０では、端子台６０と固定部７０との上面の高さが異なり、端子台６０と固定部７０との間の段差によって壁部６３が形成されている形態である。いずれの場合も、端子台６０と固定部７０との間に壁部６３を有することで、壁部６３により端子金具２０と固定部７０（カラー７１）に挿通されるボルトとの間の沿面距離を長くして、両者間の電気的絶縁を高めることができる。壁部６３の高さは、コイル２への印加電圧や使用環境などに応じて必要な沿面距離を確保できるように適宜設定すればよい。
【００６１】
［変形例２］
図１に例示したように、リアクトル１がセンサ８を備える場合は、図１１に示すように、端子台６０にセンサ８の配線８１を係止する配線係止部６４が形成されていてもよい。図１１に示す配線係止部６４は、端子台６０に一体成形されており、仕切り部６２から上方に伸びる舌片状の突片で、その先端側に取付孔６４０が形成されている。そして、結束バンド６４１を取付孔６４０に通して配線８１を結束することで、配線係止部６４に配線８１が係止されている。端子台６０に配線係止部６４が設けられていることで、センサ８の配線８１を配線係止部６４に固定できるので、例えば、リアクトル１を設置対象に設置などする際に、配線８１を引っ掛けたり、配線８１が邪魔になることが少ない。
【符号の説明】
【００６２】
１  リアクトル
１０  組合体
２  コイル
２ｗ  巻線
２ｃ  巻回部    ２ｊ  接合部
２０  端子金具
２１  端子部    ２２  接続部
３  磁性コア
３１  内側コア部
３１ｍ  内コア片
３２  外側コア部
３２ｉ  内側面    ３２ｏ  外側面
４  モールド樹脂部
４１  内側樹脂部    ４２  外側樹脂部
５  絶縁介在部材
５１  内側介在部材
５１０  板部    ５１１  突片    ５１２  枠部
５２  端面介在部材
５２０  貫通孔    ５２１  突片    ５２３  突起
５２４  樹脂充填孔    ５２５  嵌合部
６０  端子台
６１  ナット    ６２  仕切り部
６３  壁部
６４  配線係止部
６４０  取付孔      ６４１  結束バンド
６５  ボルト
７０  固定部
７１  カラー
８  センサ
８０  センサホルダ    ８１  配線
９０  外部配線
９１  端子
【図１】
2018200965.tif 000003
【図２】
2018200965.tif 000004
【図３】
2018200965.tif 000005
【図４】
2018200965.tif 000006
【図５】
2018200965.tif 000007
【図６】
2018200965.tif 000008
【図７】
2018200965.tif 000009
【図８】
2018200965.tif 000010
【図９】
2018200965.tif 000011
【図１０】
2018200965.tif 000012
【図１１】
2018200965.tif 000013